(57)【特許請求の範囲】
【請求項１】
複数の耐火性シートからなるシャッターカーテンが巻き取られて
収納される防火防煙シャッターにおいて、
耐火性シートが、耐火性の面ファスナー、またはファスナーによって連結されており、
耐火性シートの下部にその両側から分割された平板状の錘をそれぞれ配置させ、ボルトにより締め付けて固定させて、分割錘の一体性を高めたことを特徴とする防火防煙シャッター。
【請求項２】
向かい合う前記錘が、互いに千鳥状に配されたことを特徴とする請求項１記載の防火防煙シャッター。
【発明の詳細な説明】
【０００１】
【発明の属する技術分野】
本発明は、耐火性シートでなる防火防煙シャッターに関するものである。
【０００２】
【従来の技術】
近年、高層建築物などにおいて、火災時の延焼や煙の拡散を防ぐ目的で、通路や共有スペースなどの空間に設置する防火防煙シャッターが普及している。
【０００３】
この防火防煙シャッターとして、耐火性シートを用いたものが知られており、特開平８−１６４２１８号公報や特開平９−２５３２２９号公報に記載されている。
【０００４】
耐火性シートを用いた防火防煙シャッターは、軽量であり施工し易いこと、大面積のものが比較的簡易に得られること、収納スペースが小容積でよいことなどの特徴がある。
【０００５】
上記特徴を有する防火防煙シャッターは、近年、次第に開口面積の大きな通路や共有スペースなどの空間に配置する大面積を有する構造のものが要求されている。
【０００６】
【発明が解決しようとする課題】
大面積の防火防煙シャッターを得る方法としては、施工対象に合わせて特注で所定の面積に縫い合わせる方法がある。しかし、これでは作製コストが高くなってしまう。
【０００７】
また、軽量であることが特徴の耐火性シートを用いた防火防煙シャッターであってもある程度以上の面積になると、重量が重くなり、嵩張る原因となるので、運搬コストが高くなる、施工現場での持ち運びが難しくなる、施工性が低下するなどの問題が発生する。
【０００８】
このような問題を解決する方法として、防火防煙シャッターを構成する耐火性シートを複数に分割することが挙げられる。例えば、上記特開平９−２５３２２９号公報には、複数の耐火性シートを連設する構成が記載されている。
しかし、この公報に記載の構成は、隣合う耐火性シートの一部を重ね合わせて配置するものであり、互いに固定された構成ではない。
【０００９】
本発明者らの実験によれば、隣合う耐火性シートの一部を単に重ね合わせて配置するだけでは、耐火試験時に発生する熱風により、この重ね合わせ部に隙間が生じ、隙間からかなりの気流が漏れることが判明した。
【００１０】
また、火災時には、防火防煙シャッターにかなりの風圧が加わることが想定され、それに耐えることが要求される。この意味で、上記複数の耐火性シートを単に一部を重ね合わせて配置しただけでは、防火防煙シャッターとして十分な機能が得られない。なお、重ね合わせ部の面積を大きくすれば、この問題の緩和になるが、耐火性シートの有効利用面積が減少するので、コスト高になる。
【００１１】
本発明は、このような問題点を解決するため発明されたものであり、その目的とするところは、大面積な構造のものを低コストで、施工性の高い耐火性シートを用いた防火防煙シャッターを提供するものである。
【００１２】
【課題を解決するための手段】
本発明に係る第１の発明は、複数の耐火性シートからなるシャッターカーテンが巻き取られて収納される防火防煙シャッターにおいて、耐火性シートが、耐火性の面ファスナー、またはファスナーによって連結されており、耐火性シートの下部にその両側から分割された平板状の錘をそれぞれ配置させ、ボルトにより締め付けて固定させて、分割錘の一体性を高めたことを特徴とするものである。
【００１３】
第２の発明は、向かい合う前記錘が、互いに千鳥状に配されたことを特徴とするものである。
【００１４】
【作用】
第１の発明によれば、この分割された錘は、それぞれ分割単位で運搬できるので、その運搬が容易になる。特に、高層建築物では、資材用のエレベーターに運び込める資材に長さ制限があるので、分割構造とすることは有用となる。そして、この錘によって、シャッターカーテンを自重により下降させることができ、下降した状態において、シャッターカーテンが火災時に発生する風圧による捲くれ上がりや、撓むことを防ぐことができる。
【００１５】
第２の発明によれば、シャッターカーテンの下部に設ける分割錘の一体性を高めることになる。
【００１６】
【発明の実施の形態】
以下、本発明の実施形態を説明する。図１は、本発明の防火防煙シャッターを示す概略斜視図、図２は、連結部の１例を示す斜視図、図３は、連結部の２例を示す斜視図、図４は、図３の概略断面図、図５は、連結部の３例を示す概略断面図、図６は、錘の取り付け方の１例を示す概略断面図である。
【００１７】
図１は、本発明の防火防煙シャッターの基本構造を示し、図示では、３枚の耐火性シート２ａ，２ｂ，２ｃを連結した構造のシャッターカーテン１が示されているが、その数は、３枚の耐火性シート２ａ，２ｂ，…に限定されるものではなく、２枚以上であればよい。この耐火性シート２ａ，２ｂ，…としては、シリカクロスやステンレス鋼糸で編んだクロスなどを用いることができる。
【００１８】
そして、耐火性シート２ａ，２ｂ，…は、図示のように、その上端部がシャフト３に巻き取られ、収納されている。また、このシャッターカーテン１の下部には、平板状の錘４が取り付けられている。錘４は、シャッターカーテン１を自重により下降させる機能と、下降した状態において、シャッターカーテン１が火災時に発生する風圧による捲くれ上がりや、撓むことを防ぐ機能とを有している。
【００１９】
上記錘４は、一本の長く延びる平板状のものでもよいが、図２に示すように各耐火性シート２ａ，２ｂに対応して、その下部にそれぞれ分割させた構造の錘４ａ，４ｂ，…を取り付け、端部を重ね合わせてボルト５によって連結固定させて一体化してあるものでもよい。
【００２０】
この分割構造の錘４ａ，４ｂ，…は、それぞれ分割単位で運搬できるので、その運搬が容易になる。特に、高層建築物では、資材用のエレベーターに運び込める資材に長さ制限があるので、分割構造とすることは有用となる。
また、分割構造であっても、最終的に一体化構造となるので、シャッターカーテンが風圧により捲くれ上がることがない。なお、分割数は任意であり、細かく分割してもよい。錘４は金属製のものがよく、平板状に限らず、断面任意な形状の棒状であればよい。
【００２１】
次に、隣合う耐火性シート２ａ，２ｂ，２ｃを互いに連結させる構造を説明すると、次のような連結手段を用いるとよい。
第１例の連結手段６は，耐火性の面ファスナー（マジックテープ）７を用いた例である。図２に示すように、耐火性シート２ａ，２ｂ，…の重なり合う各端部８ａ，８ｂにそれぞれ設けた雄型面ファスナー９と、雌型面ファスナー１０とが互いに密着連結される構造としてある。なお、耐火性の面ファスナー７としては、ステンレス鋼糸、その他耐熱性材料の糸で構成されたものを使用できる。
【００２２】
第２例の連結手段１５は、耐火性のファスナー１６を用いた例である。図３に示すように、耐火性シート２ａ，２ｂ，…の隣合う各端部８ａ，８ｂにそれぞれ縫い合わせたステンレス鋼糸で編んだクロス１７ａ，１７ｂに噛み合うファスナー１６の噛み合わせ部１８が設けられている。
【００２３】
この耐火性のファスナー１６としては、耐火性の織布に金属製の噛み合わせ部分を取り付けたものを用意し、これに耐火性シート２ａ，２ｂを縫い付ける。
そして、この噛み合わせ部１８が、クロス１７ａ，１７ｂと噛み合うことで、隣合う耐火性シート２ａ，２ｂは、それぞれ連結される構造となっている。この耐火性のファスナー１６を用いると、施工現場での連結作業は、極めて簡易なものとなり、施工コストを低減する上で有効となる。
【００２４】
第３例の連結手段２０は、上記第２例を改良し、その耐火性と遮蔽性とを高めるための例であり、ファスナー１６の表面を耐火性シート２ｂの端部８ｂがカバーする構造となっている。
図５に示すように、隣合う耐火性シート２ａ，２ｂの重なり合う端部８ａ，８ｂにおいて、一方の端部８ａの表面にクロス１７ａを取り付け、さらに、他方の端部８ｂの裏面にクロス１７ｂを取り付けて、この他方の端部８ｂが、一方の端部８ａの表面を覆うカバー構造に特徴がある。
【００２５】
また、シャッターカーテン１の下部に設ける分割錘の一体性を高めるため、図６に示す取り付け方が挙げられる。上記するように、面ファスナー７、またはファスナー１６によって連結されている隣合う耐火性シート２ａ，２ｂの下部を両側から分割された錘４ｄ，４ｅと４ｆ，４ｇとをそれぞれ配置させ、ボルト５，５，…により締め付けて固定させてある。なお、図示するように、向かい合う錘４ｄ，４ｅと４ｆ，４ｇとは、互いに千鳥状に配することが好ましい。
【００２６】
上記するように本発明によれば、その連結手段として耐火性の面ファスナー、またはファスナーを用いることで、シャッターカーテンを巻き取らせて収納する際に、連結手段が障害になることがない。また、施工現場での耐火性シートの連結作業が簡易となる。
【００２７】
また、隣合う耐火性シートの重ね合わせ部分の面積を小さくできるので、耐火性シートの有効利用面積も大きくなり、施工途中や作動試験時に耐火性シートが破損した場合、その部分の耐火性シートを簡易に交換できる。
【００２８】
耐火性シートの連結部に隙間ができないので、防火防煙シャッターとしての機能が損なわれない。さらに、施工途中に寸法などが変更の場合、一部の耐火性シートの取り替えで対応できるので、コストを低減できる。また、耐火性シートは規格化でき、生産コストを低減できる。
【００２９】
【発明の効果】
本発明の防火防煙シャッターによれば、隣合う耐火性シートの連結が極めて簡易に、短時間に施工でき、大面積のものを低コストで得ることができる。
【００３０】
耐火性シートの下部に設ける錘は、それぞれ分割単位で運搬できるので、その運搬が容易になる。特に、高層建築物では、資材用のエレベーターに運び込める資材に長さ制限があるので、分割構造とすることは有用となる。そして、この錘によって、シャッターカーテンを自重により下降させることができ、下降した状態において、シャッターカーテンが火災時に発生する風圧による捲くれ上がりや、撓むことを防ぐことができる。
耐火性シートの連結手段は、耐火性の面ファスナー、またはファスナーを用いているので、巻き取り収納する際の障害になることはなく、スムースな巻き取りが行える。また、施工現場での耐火性シートの連結作業が簡易となり、その施工性がよい。
【図面の簡単な説明】
【図１】本発明の防火防煙シャッターを示す概略斜視図。
【図２】連結部の１例を示す斜視図。
【図３】連結部の２例を示す斜視図。
【図４】図３の概略断面図。
【図５】連結部の３例を示す概略断面図。
【図６】錘の取り付け方の１例を示す概略断面図。
【符号の説明】
１          シャッターカーテン
２ａ，２ｂ  耐火性シート
４          錘
７          面ファスナー
１６        ファスナー
【図１】
0003542282.tif 000002
【図２】
0003542282.tif 000003
【図３】
0003542282.tif 000004
【図４】
0003542282.tif 000005
【図５】
0003542282.tif 000006
【図６】
0003542282.tif 000007